(57)【要約】  【課題】  回転ヘッドドラム内の磁気ヘッドへのノイズの侵入を極力抑え、記録精度や再生精度の更なる向上を図れる磁気記録再生装置を提供する。  【解決手段】  磁気記録再生装置において、金具２４の一端は、回転ヘッドドラム２の下ドラム２３にねじ２５，２６により結合され、その他端は、回路基板５に予め形成された孔を介して回路基板５の接地ラインに半田付け２７がされる。これにより、回転ヘッドドラム２の下ドラム２３と回路基板の接地ラインとが電気的に接続されるので、回転ヘッドドラム２が直接接地されることになる。したがって、回転ヘッドドラム２内の磁気ヘッド２２ａ，２２ｂへのノイズ侵入が極力防止され、記録精度や再生精度の更なる向上を図ることができる。【選択図】      図２
2005174495.tif 000002
【特許請求の範囲】
【請求項１】
磁気テープ巻付面を有する回転ヘッドドラムが取り付けられたデッキと、このデッキの
下方に設けられた回路基板と、合成樹脂成形体から成り上部が開放され前記デッキおよび
前記回路基板を収容する筐体と、この筐体に取り付けられ前記デッキを覆うトップカバー
とを備えた磁気記録再生装置において、一端が前記回転ヘッドドラムの下ドラムにねじ結
合され、他端が前記回路基板に予め形成された孔を介して前記回路基板の接地ラインに半
田付けされる金具を設けることにより、前記回転ヘッドドラムの下ドラムと前記回路基板
の接地ラインとを電気的に接続することを特徴とする磁気記録再生装置。
【請求項２】
磁気テープ巻付面を有する回転ヘッドドラムが取り付けられたデッキと、このデッキの
下方に設けられた回路基板と、合成樹脂成形体から成り上部が開放され前記デッキおよび
前記回路基板を収容する筐体と、この筐体に取り付けられ前記デッキを覆うトップカバー
とを備えた磁気記録再生装置において、前記回転ヘッドドラムと前記回路基板の接地ライ
ンとを電気的に接続する金具を設けたことを特徴とする磁気記録再生装置。
【請求項３】
前記金具は、一端が前記回転ヘッドドラムの下ドラムにねじ結合され、他端が前記回路
基板の接地ラインに半田付けされることを特徴とする請求項２に記載の磁気記録再生装置
。
【請求項４】
前記金具の他端は、前記回路基板に予め形成された孔を介して前記回路基板の接地ライ
ンに半田付けされることを特徴とする請求項３に記載の磁気記録再生装置。
【発明の詳細な説明】
【技術分野】
【０００１】
本発明は、磁気テープに映像音声情報を記録したり、磁気テープに記録された映像音声
情報を再生したりする磁気記録再生装置に関し、特に、磁気テープを巻き付ける回転ヘッ
ドドラムを電磁的にシールドするための手段を有する磁気記録再生装置に関する。
【背景技術】
【０００２】
この種の磁気記録再生装置は、回転ヘッドドラムに巻き掛けられた磁気テープの表面を
、回転ヘッドドラムに内蔵した磁気ヘッドにより電磁気的に走査して記録または再生を行
うものであるから、回転ヘッドドラムの周囲を電磁気的にシールドしておくことによって
、記録時または再生時のノイズの発生などを抑え、画像品質の向上を図っている。
【０００３】
図３は従来の磁気記録再生装置の概略分解斜視図である。図３において、１はデッキで
、図示しない磁気ヘッドを内蔵した回転ヘッドドラム２や、この回転ヘッドドラム２の上
部と背部と左右の側部とを覆うシールド板３などが取り付けられている。４は合成樹脂成
形体でなる上部開放の筐体であり、この筐体４には、ヘッドアンプなどの回路部品を実装
した回路基板５が収容されると共に、回路基板５の上方に配備されたデッキ１が収容され
る。
【０００４】
破線で表す９は金具を示し、この金具９の一端はデッキ１の側面にねじ結合され、その
他端は回路基板５の接地ラインに半田付けなどにより接続されている。この金具９により
、デッキ１が、回路基板５の接地ラインに接続されることにより、接地されることになる
。
【０００５】
そして、金属板によって形成されたトップカバー６が、筐体４に取り付けられて、デッ
キ１や回転ヘッドドラム２などを覆い、また、筐体４の下面には、金属板７が重ね合わさ
れる。更に、板片状のアース板８を用いることにより、金具９を介して回路基板５の接地
ラインに接続されるデッキ１に、トップカバー６が電磁気的に接続されるようになってい
る。
【０００６】
回転ヘッドドラム２は、上方がシールド板３とトップカバー６の天板部６１とによって
覆われ、背方がシールド板３によって覆われ、左右がトップカバー６の左右の側板部６２
，６２によって覆われ、下方が金属板７によって覆われるので、周囲で電磁気的にシール
ドされて記録時または再生時のノイズの発生などが抑えられ、これにより画像品質の向上
を図っている。
【特許文献１】特開２０００−３０４２９号公報
【特許文献２】実登３０８０９１４号公報
【特許文献３】実登３０９０６９２号公報
【発明の開示】
【発明が解決しようとする課題】
【０００７】
しかしながら、この従来の磁気記録再生装置によれば、金具９を介してシリンダ１と回
路基板５の接地ラインを接続しているので、デッキ１と接地との経路が長く（遠く）なり
、回転ヘッドドラム２内の磁気ヘッドにノイズが侵入し易くなり、記録動作や再生動作に
悪影響を与え、記録精度や再生精度の更なる向上を図ることが難しいという課題が生じる
。
【０００８】
なお、特許文献１の従来技術では、シールド板からデッキシャーシにアースを落とすよ
うにしているが、デッキシャーシとアース間が長くなり、記録再生用のシリンダ（回転ヘ
ッドドラム）内の磁気ヘッドにノイズが侵入し易くなるので、上記のような課題を解決で
きるものではない。
【０００９】
特許文献２の従来技術では、デッキがアース接続されているが、デッキとアース間の経
路は開示されていなく、また、デッキがノイズを拾うと、回転ヘッドドラム内の磁気ヘッ
ドに悪影響を与えるので、この場合も上記のような課題を解決できるものではない。
【００１０】
特許文献３の従来技術では、プリント基板に形成されたグランドパターンの繋ぎパター
ンとデッキとを接続しているが、デッキがノイズを拾うと、図示されていない回転ヘッド
ドラム内の磁気ヘッドに悪影響を与えるので、この場合も上記のような課題を解決できる
ものではない。
【００１１】
本発明は、上記のような課題を解決するためになされたもので、回転ヘッドドラム内の
磁気ヘッドへのノイズの侵入を極力抑え、記録精度や再生精度の更なる向上を図れる磁気
記録再生装置を提供することを目的とする。
【課題を解決するための手段】
【００１２】
上記目的を達成するために、請求項１の発明は、磁気テープ巻付面を有する回転ヘッド
ドラムが取り付けられたデッキと、このデッキの下方に設けられた回路基板と、合成樹脂
成形体から成り上部が開放され前記デッキおよび前記回路基板を収容する筐体と、この筐
体に取り付けられ前記デッキを覆うトップカバーとを備えた磁気記録再生装置において、
一端が前記回転ヘッドドラムの下ドラムにねじ結合され、他端が前記回路基板に予め形成
された孔を介して前記回路基板の接地ラインに半田付けされる金具を設けることにより、
前記回転ヘッドドラムの下ドラムと前記回路基板の接地ラインとを電気的に接続すること
を特徴とする磁気記録再生装置を提供する。
【００１３】
この構成において、金具の一端は回転ヘッドドラムの下ドラムにねじ結合され、その他
端は回路基板に予め形成された孔を介して回路基板の接地ラインに半田付けされる。これ
により、回転ヘッドドラムの下ドラムと回路基板の接地ラインとが電気的に確実に接続さ
れるので、回転ヘッドドラムが直接接地されることになる。
【００１４】
この構成によれば、回転ヘッドドラムが直接接地されることになるので、回転ヘッドド
ラム内の磁気ヘッドへのノイズ侵入が極力防止され、記録精度や再生精度の更なる向上を
図ることができる。
【００１５】
請求項２の発明は、磁気テープ巻付面を有する回転ヘッドドラムが取り付けられたデッ
キと、このデッキの下方に設けられた回路基板と、合成樹脂成形体から成り上部が開放さ
れ前記デッキおよび前記回路基板を収容する筐体と、この筐体に取り付けられ前記デッキ
を覆うトップカバーとを備えた磁気記録再生装置において、前記回転ヘッドドラムと前記
回路基板の接地ラインとを電気的に接続する金具を設けたことを特徴とする磁気記録再生
装置を提供する。
【００１６】
この構成において、金具は回転ヘッドドラムと回路基板の接地ラインとを電気的に接続
するので、回転ヘッドドラムが直接接地されることになる。したがって、この構成によれ
ば、回転ヘッドドラム内の磁気ヘッドへのノイズの侵入が極力防止され、記録精度や再生
精度の更なる向上を図ることができる。
【００１７】
請求項３の発明では、請求項２の発明において、金具は、一端が回転ヘッドドラムの下
ドラムにねじ結合され、他端が回路基板の接地ラインに半田付けされるので、確実に回転
ヘッドドラムが接地可能になる。
【００１８】
請求項４の発明では、請求項３の発明において、金具の他端は、回路基板に予め形成さ
れた孔を介して回路基板の接地ラインに半田付けされるので、デッキを回路基板と勘合さ
せるときに、回路基板に金具を半田付けすることができて、組立作業が簡単になり、コス
トダウンも図れる。
【発明の効果】
【００１９】
以上のように本発明によれば、磁気テープ巻付面を有する回転ヘッドドラムが取り付け
られたデッキと、このデッキの下方に設けられた回路基板と、合成樹脂成形体から成り上
部が開放され前記デッキおよび前記回路基板を収容する筐体と、この筐体に取り付けられ
前記デッキを覆うトップカバーとを備えた磁気記録再生装置において、一端が前記回転ヘ
ッドドラムの下ドラムにねじ結合され、他端が前記回路基板に予め形成された孔を介して
前記回路基板の接地ラインに半田付けされる金具を設けることにより、前記回転ヘッドド
ラムの下ドラムと前記回路基板の接地ラインとを電気的に接続するようにしたので、回転
ヘッドドラムの下ドラムと回路基板の接地ラインとが電気的に確実に接続され、回転ヘッ
ドドラムが直接接地されることになり、したがって、回転ヘッドドラム内の磁気ヘッドへ
のノイズ侵入が極力防止され、記録精度や再生精度の更なる向上を図ることができる。
【００２０】
また、本発明によれば、磁気テープ巻付面を有する回転ヘッドドラムが取り付けられた
デッキと、このデッキの下方に設けられた回路基板と、合成樹脂成形体から成り上部が開
放され前記デッキおよび前記回路基板を収容する筐体と、この筐体に取り付けられ前記デ
ッキを覆うトップカバーとを備えた磁気記録再生装置において、前記回転ヘッドドラムと
前記回路基板の接地ラインとを電気的に接続する金具を設けたので、回転ヘッドドラムが
直接接地されることになり、したがって、回転ヘッドドラム内の磁気ヘッドへのノイズの
侵入が極力防止され、記録精度や再生精度の更なる向上を図ることができる。
【発明を実施するための最良の形態】
【００２１】
以下、添付図面を参照しつつ、本発明の実施の形態について説明する。図１は本発明の
一実施形態に係る磁気記録再生装置の概略分解斜視図である。図１において、１はデッキ
で、図示しない磁気ヘッドを内蔵した回転ヘッドドラム２などが取り付けられている。４
は合成樹脂成形体でなる上部開放の筐体であり、この筐体４には、ヘッドアンプなどの回
路部品を実装した回路基板５が収容されると共に、回路基板５の上方に配備されたデッキ
１が収容される。
【００２２】
トップカバー６は、金属板によって形成され、回転ヘッドドラム２の上方に配備される
矩形状の天板部６１と、この天板部６１の左右の端部のそれぞれに連設されて回転ドラム
ヘッド２の左右に各別に配備される左右一対の側板部６２，６２とを有していると共に、
天板部６１の後端縁に連設されて左右一対の側板部６２，６２の相互間に亘る横幅を有す
る下向き片部（図示せず）を有している。そして、このトップカバー４が、筐体４に取り
付けられて、デッキ１や回転ヘッドドラム２などを覆い、また、筐体４の下面には、金属
板７が重ね合わされる。
【００２３】
図２は本実施形態の磁気記録再生装置における回転ヘッドドラム２と回路基板５との取
り付け状態を概略的に示す側面図である。図２において、回転ヘッドドラム２は、上ドラ
ム２１とヘッドバー２２と下ドラム２３から構成され、ヘッドバー２２には、磁気ヘッド
（ビデオ用回転磁気ヘッド）２２ａと磁気ヘッド（ビデオ用回転磁気ヘッド）２２ｂとが
１８０度の間隔を置いて取り付けられている。なお、ここで説明した回転ヘッドドラムの
構成は一例であるので、これに限ることはなく、何れの回転ヘッドドラムにおいても下ド
ラムは回転せずに固定されるので、下記に述べる金具を取り付けることが可能である。
【００２４】
回転ヘッドドラム２において、上ドラム２１およびヘッドバー２２は一体回転し、下ド
ラム２３は固定されている。そして、下ドラム２３には、金具２４の一端がねじ２５，２
６によって結合される。また、金具２４の他端２４ａは、回路基板５に予め形成された孔
１０（図１参照）を介して回路基板５の裏面にパターン形成された接地ラインに半田付け
２７によって接続される。なお、金具２４は回転ヘッドドラム２の下ドラム２３と一体成
型が可能であれば、ねじ２５，２６は不要となる。
【００２５】
このような構成により、回転ヘッドドラム２の下ドラム２３と回路基板５の接地ライン
とが電気的に確実に接続されるので、回転ヘッドドラム２３が直接接地されることになる
。したがって、回転ヘッドドラム２内の磁気ヘッドへのノイズ侵入が極力防止され、この
磁気記録再生装置における記録精度や再生精度の更なる向上を図ることができる。
【図面の簡単な説明】
【００２６】
【図１】本発明の一実施形態に係る磁気記録再生装置の概略分解斜視図である。
【図２】前記実施形態の磁気記録再生装置における回転ヘッドドラムと回路基板との取り付け状態を概略的に示す側面図である。
【図３】従来の磁気記録再生装置の概略分解斜視図である。
【符号の説明】
【００２７】
２    回転ヘッドドラム
４    筐体
５    回路基板
６    トップカバー
１０    孔
２３    下ドラム
２４    金具
２５，２６    ねじ
２７    半田付け
【図１】
2005174495.tif 000003
【図２】
2005174495.tif 000004
【図３】
2005174495.tif 000005